【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
差熱モジュールであって、少なくとも：
高温の作動媒体を収容するように構成された第１の高温リザーバと；
低温の作動媒体を収容するように構成された第２の低温リザーバと；
前記リザーバのうちの少なくとも１つと流体連絡し、前記第１の高温リザーバに熱を供給すること；および前記第２の低温リザーバから熱を除去すること；のうちの少なくとも１つによって、前記リザーバ間の温度差を維持するように構成された、加熱装置とを備える、差熱モジュールと、
前記リザーバの前記高温および前記低温に対応する前記圧力媒体の最低動作温度と最高動作温度との間で変動させるように、前記リザーバの前記高温／低温の作動媒体との熱交換プロセスを交互に実行する、前記差熱モジュールの前記第１の高温リザーバおよび前記第２の低温リザーバと選択的に流体連絡する、圧力媒体を備える圧力モジュールと；
前記圧力媒体と機械式に連絡し前記圧力媒体の温度変化を出力エネルギーを発生させるために利用するように構成された、変換モジュールと、
前記差熱モジュールと熱連絡し、前記圧力媒体からの熱を吸収し前記差熱モジュールまたは前記圧力モジュールに熱を供給するように構成された、熱回収機構と
を備える、発電機。
【請求項２】
前記加熱装置が、高温凝縮器端部および低温蒸発器端部を有する熱ポンプから構成され、
前記第１の高温リザーバが前記高温凝縮器端部と熱連絡すること；および
前記第２の低温リザーバが前記低温蒸発器端部と熱連絡すること
のうちの少なくとも１つに従って構成される、請求項１に記載の発電機。
【請求項３】
前記第１の高温リザーバおよび前記第２の低温リザーバのうちの一方が、外部周囲環境と熱連絡している、請求項１または２に記載の発電機。
【請求項４】
前記圧力モジュールが、前記圧力媒体を内部に収容した圧力容器を備え、
前記圧力容器が、前記差熱モジュールの前記リザーバとそれぞれ熱連絡した入口端部および出口端部を有し、前記圧力容器の前記入口端部および前記出口端部と関連付けられ前記差熱モジュールの前記リザーバと選択的に流体連絡するように構成された、選択的入口弁および選択的出口弁を備え、
前記圧力容器がさらに、少なくとも１つの導管を備え、前記少なくとも１つの導管が、前記圧力媒体と熱連絡し、前記圧力モジュールの入口端部および出口端部とそれぞれ関連する入口端部を有し、前記熱交換プロセスを実行するために前記作動媒体を貫通させるように構成される、請求項１から３のいずれか一項に記載の発電機。
【請求項５】
前記圧力容器が、内部を貫通する複数の導管を備え、前記複数の導管が、制御部材を介して互いに流体連絡する、請求項４に記載の発電機。
【請求項６】
前記制御部材が、前記複数の導管に
・複数の前記導管のうちの少なくとも一部分がそれぞれ独立に前記差熱モジュールと流体連絡するように設けられる平行構成；および
・前記複数の導管の少なくとも一部分が互いに流体連絡して単一の流路が形成される直列構成
のうちの少なくとも１つを選択的に提供するように構成され、
前記平行構成では、各導管の前記入口端部および前記出口端部が、前記圧力容器のそれぞれの入口端部および出口端部と直接流体連絡し、
前記直列構成では、前記導管のうちの１つの前記入口端部および出口端部のうちの少なくとも１つが、前記圧力容器の前記それぞれの入口端部および出口端部と直接流体連絡しない、請求項５に記載の発電機。
【請求項７】
前記圧力容器がさらに放散部材を少なくとも１つ備え、前記放散部材が、前記圧力容器内に配設され、前記圧力媒体と熱連絡しており、前記圧力媒体内を通る熱伝達を増大させるように構成される、請求項５に記載の発電機。
【請求項８】
前記熱回収機構が、少なくとも１つ温度勾配タンクを備え、前記温度勾配タンクが、前記圧力モジュールの出口端部と流体連絡し、同時に内部に収容された多量の少なくとも２つの作動媒体間の温度差を維持するように構成される、請求項１から７のいずれか一項に記載の発電機。
【請求項９】
前記勾配タンクが、前記少なくとも２つの部分を互いに混合するのを防止するように構成された流路ラビリンスを有するように形成される、請求項８に記載の発電機。
【請求項１０】
前記ラビリンス流路の最大断面寸法が、その全長よりもずっと小さい、請求項９に記載の発電機。
【請求項１１】
前記ラビリンスがらせん状の流路の形態である、請求項９または１０に記載の発電機。
【請求項１２】
前記発電機がさらに、前記出力エネルギーのうちの少なくとも一部を格納するように構成された熱格納ユニットを備え、前記格納ユニットが格納媒体を備え、前記部分が前記格納媒体を加熱および／または冷却するために使用される、請求項１から１１のいずれか一項に記載の発電機。
【請求項１３】
前記熱格納ユニットが、加熱した格納媒体を得るために前記部分によって動力を与えられた加熱要素を備える、請求項１２に記載の発電機。
【請求項１４】
前記加熱された格納媒体が、前記圧力モジュールと選択的に流体連絡し、副次的高温リザーバとして動作するように構成される、請求項１２に記載の発電機。
【請求項１５】
前記格納媒体が、副次的熱ポンプと、前記熱ポンプの凝縮器端部に関連する第１のチャンバと、前記熱ポンプの蒸発器端部に関連する第２のチャンバとを備え、前記部分が、前記副次的熱ポンプに動力を与えるために使用される、請求項１３または１４に記載の発電機。
【請求項１６】
請求項１から１５のいずれか一項に記載の発電機を使用して出力エネルギーを生成する方法であって、前記方法が少なくとも：
０）前記第１の高温リザーバと前記第２の低温リザーバとの間の温度差を維持するように前記差熱モジュールを動作させるステップと；
Ｉ）温度ＴＨの高温作動媒体を前記圧力モジュールに供給し、前記高温作動媒体が前記圧力媒体との熱交換プロセスを実行し、それにより、前記圧力媒体の温度を最高動作温度ＴＰＭＡＸまで上昇させ、その結果、前記高温の作動媒体の温度をＴＨ−ＣＯＯＬＥＤまで低下させるステップと；
ＩＩ）温度ＴＨ−ＣＯＯＬＥＤの前記高温作動媒体を前記第１の高温リザーバに戻し、その温度をＴＨに戻すようにステップ（０）を実行するステップと；
ＩＩＩ）前記圧力媒体との熱交換プロセスを実行するように低温の作動媒体を温度ＴＬで前記圧力モジュールに供給し、それにより、前記圧力媒体の温度を最低動作温度ＴＰＭＩＮまで低下させ、その結果、前記低温作動媒体の温度をＴＬ−ＨＥＡＴＥＤまで上昇させるステップと；
ＩＶ）温度ＴＬ−ＨＥＡＴＥＤの前記低温作動媒体を前記第２の低温リザーバに戻すステップと；
Ｖ）前記低温作動媒体から熱を追い出してその温度を低下させてＴＬに戻すステップと
を含み、
ＴＬ＜ＴＰＭＡＸ、ＴＰＭＩＮ＜ＴＨである、方法。
【請求項１７】
前記発電機が、少なくとも第１および第２の圧力モジュールを備え、前記方法が、ステップ（Ｉ）が前記第１の圧力モジュールに実行されるときに、ステップ（ＩＩＩ）が前記第２の圧力モジュールに実行され、その逆も同様になるように、前記第１の圧力モジュールと前記第２の圧力モジュールの両方にフェーズをずらして同時に実行される、請求項１６に記載の方法。
【請求項１８】
前記発電機が、少なくとも第１および第２の圧力モジュールを備え、前記第１の圧力モジュールに実行される前記方法のステップ（Ｖ）では、熱を追い出すステップが、前記第２の圧力モジュールに実行されるように、前記方法のステップ（ＩＩ）と（ＩＩＩ）との間に中間のステップ（ＩＩ’）によって実行される、請求項１６または１７に記載の方法。
【請求項１９】
前記発電機が、少なくとも第１および第２の圧力モジュールを備え、前記第１の圧力モジュールに実行される前記方法のステップ（ＩＩ）で熱の少なくとも一部分の吸収が、前記第２の圧力モジュールで実行されるように前記方法のステップ（Ｖ）と（Ｉ）との間の中間のステップ（Ｖ）によって実行される、請求項１６から１８のいずれか一項に記載の方法。
【請求項２０】
前記発電機がさらに、少なくとも１つ勾配タンクを備え、前記方法がさらに、
（ＩＩＩ’）前記方法のステップ（ＩＩＩ）と（ＩＶ）との間に実行され、その間に、前記圧力モジュールから出るときに、前記低温の作動媒体が前記勾配タンクに供給され、そこで格納されるステップと；
（Ｖ’’）前記方法のステップ（Ｖ）と（Ｉ）との間に実行され、その間に、前記勾配タンクに格納された前記加熱された低温作動媒体が、前記圧力媒体との熱交換プロセスを実行するために前記圧力モジュールに供給され、それにより、前記圧力媒体の温度が中間動作温度ＴＰＩＮＴＥＲまで上昇し、その結果、前記格納された低温作動媒体の温度がＴＬに近くなるまで低下するステップと
を含む、請求項１６から１９のいずれか一項に記載の方法。
【請求項２１】
前記発電機がさらに、少なくとも１つ勾配タンクを備え、前記方法がさらに：
（Ｉ’’）前記方法のステップ（Ｉ）と（ＩＩ）との間に実行され、その間に、前記圧力モジュールから出る際に、前記高温の作動媒体が、前記勾配タンクに供給され、そこに格納されるステップと；
（ＩＩ’’）前記方法のステップ（ＩＩ）と（ＩＩＩ）との間に実行され、その間に、前記勾配タンク内に格納された前記冷却された高温作動媒体が、前記圧力媒体との熱交換プロセスを実行するために前記圧力モジュールに供給され、それにより、前記圧力媒体の温度が中間動作温度ＴＰＩＮＴＥＲまで低下し、その結果、前記格納された低温作動媒体の温度がＴＬに近くなるまで低下するステップと
を含む、請求項１６から２０のいずれか一項に記載の方法。
【請求項２２】
ステップ（ＩＩＩ’）および（Ｉ’’）がＬＩＦＯの手法で実行され、すなわち、前記勾配タンクに供給された前記作動媒体の第１の部分が、それぞれステップ（Ｖ’’）および（ＩＩ’’）の間に前記勾配タンクから前記圧力モジュールに最後に放出される、請求項２０または２１に記載の方法。